(57)【要約】【課題】位置合せを容易かつ正確に行う。【解決手段】医療用ステープルの打ち出し機構を設けたステープラ本体１と、上記打ち出し機構に設けられたドライバプレート６によりステープルを打ち出すヘッド部３には、打ち出されるステープルの前部を案内する前壁４を設け、ヘッド部３の先端を傷口の周囲の皮膚に押し付けてステープルを打ち出す医療用ステープラにおいて、上記ステープラ本体１を合成樹脂材から構成し、ステープラ本体１の前部には、上記前壁４の中心に沿って上記ヘッド部３のステープル打ち出し部１１の中央上部に対応するように中央突条１３ａを形成した。【選択図】図１
2007000462.tif 000002
【特許請求の範囲】
【請求項１】
医療用ステープルの打ち出し機構を設けたステープラ本体と、上記打ち出し機構に設けられたドライバプレートによりステープルを打ち出すヘッド部には、打ち出されるステープルの前部を案内する前壁を設け、ヘッド部の先端を傷口の周囲の皮膚に押し付けてステープルを打ち出す医療用ステープラにおいて、
上記ステープラ本体を合成樹脂材から構成し、ステープラ本体の前部には、上記前壁の中心に沿って上記ヘッド部のステープル打ち出し部の中央上部に対応するように中央突条を形成した
ことを特徴とする医療用ステープラの位置合せ機構。
【請求項２】
上記前壁を透明な合成樹脂材から構成したことを特徴とする、請求項１に記載の医療用ステープラの位置合せ機構。
【発明の詳細な説明】
【技術分野】
【０００１】
本発明は、外科手術などで切開した部位を縫合する際にステープルを差し込む位置を切開創の中心に合わせるための医療用ステープラの位置合せ機構に関するものである。
【背景技術】
【０００２】
一般に、外科手術で生体組織を切開した後は、傷口を縫合糸で縫合することが行われているが、手術痕が目立たない、治癒が早いなどの理由からステープルで縫合する方式もよく採用されている。
【０００３】
ステープルによる縫合のためには医療用のステープラが用いられるが、これは、まず操作レバーを引いてドライバプレートを駆動し、ステープルを折り曲げながらその両脚部を切開創の創縁の内部に刺し込み、ステープルで傷口の両側部分を取り込むようにして縫合するように構成されている。
【特許文献１】特許第３０６５３６３号公報
【発明の開示】
【発明が解決しようとする課題】
【０００４】
ところで、縫合にあたっては、ピンセットで左右の創縁を摘み、上方に持ち上げながら縫合するのであるが、切開創の中心にステープルの中心を合わせて打ち込み、左右の皮膚を均等に寄せ合わせて縫合することが重要である。この位置合せに関しては、外科医師は打ち込み時にかなり意識して作業している。
【０００５】
このため、医療用ステープラでは、ステープルを打ち出す先端部の近傍にセンターマークを付けたものが提案されている。
【０００６】
このようなセンターマークの例として、ステープラ本体を覆う外殻体の前部中央に突出しているものがあるが、これはセンターマークと外殻体とは同じ色なので、立体的ではあるがわかりにくいほか、センターマークは外殻体の表面から突出している構造であるから、ステープルとセンターマークとの間にはステープルの前面を案内する前壁と外殻体とがあり、ステープルとセンターマークとは前壁と外殻体の肉厚分だけ離れているので、感覚的な位置合せがしにくい。
【０００７】
また、上記前壁にセンターマークを示す三角形状のシールを貼ったものや、上記前壁にセンターマークを印刷したものが知られている。しかし、これらのものはステープラとは別部品であったり、印刷という作業を要したりするから、コスト高になるという問題があり、位置合せの改善には繋がっていない。
【０００８】
本発明は上記問題点を解消し、センターマークを目立たせ、位置合せを容易かつ正確に行うことができるとともに、コストも低く抑えることができる医療用ステープラの位置合せ機構をその課題とする。
【課題を解決するための手段】
【０００９】
請求項１に係る発明は、医療用ステープルの打ち出し機構を設けたステープラ本体１と、上記打ち出し機構に設けられたドライバプレートによりステープルを打ち出すヘッド部には、打ち出されるステープルの前部を案内する前壁を設け、ヘッド部３の先端を傷口の周囲の皮膚に押し付けてステープルを打ち出す医療用ステープラにおいて、上記ステープラ本体を合成樹脂材から構成し、ステープラ本体の前部には、上記前壁の中心に沿って上記ヘッド部のステープル打ち出し部の中央上部に対応するように中央突条を形成したことを特徴とする。
【００１０】
請求項２に係る発明は、上記ヘッド部を透明な合成樹脂材から構成したことを特徴とする。
【発明の効果】
【００１１】
請求項１に係る発明によれば、中央突条を傷口の中心に合わせることによってステープルの脚部がどこから出るのかをほぼ正確に把握することができる。しかも、上記中央突条は前壁上に突出し、中央突条とステープルとは前壁を隔てただけで近接している。したがって、ステープルの位置合せを容易かつ正確に行うことができる。また、中央突条は立体的に形成され、よく目立つので、斜めから見ても位置合せがしやすい。
【００１２】
また、中央突条はステープラ本体と一体に形成されるので、コストも低く抑えることができる。
【００１３】
請求項２に係る発明によれば、ヘッド部の前壁は透明であるから、不透明の中央突条やその両側部と対照的で、位置合せ部がよく目立つ。
【００１４】
さらに、内部のステープルも外から透視できるので、ステープルの脚部がどこに位置しているかとともに、ステープルが打ち出されていく状態を目視することができる。したがって、外科医師はステープルが確実に縫合できたことを確認できるので、打ち出し直後に安心感が得られ、縫合作業がスムーズに行われる。
【発明を実施するための最良の形態】
【００１５】
図１は本発明に係る医療用ステープラの一実施形態の斜視図、図２は上記ステープラの前部の拡大正面図、図３は上記前部の拡大底面図、図４は上記ステープラの縦断面図であり、図５は上記前部の拡大縦断面図である。
【００１６】
上記図において符号１はステープラ本体、２は操作レバーを示す。ステープラ本体１の前部にはステープルを打ち出すヘッド部３が設けられている。このヘッド部３には、打ち出されるステープルの前部を案内する前壁４とステープルとドライバプレートの両側部を案内する両側壁５とがコ字形に設けられている。前壁４の背面に沿ってドライバプレート６が上下方向に摺動自在に設けられ、常時初期位置にあるようにバネ７によって付勢されている。図２に示したように、ドライバプレート６の下端は、倒立した凹字状に形成され、両側に突片６ａが形成されている。また、ステープルはステープラ本体１の収納部８内に装填され、送り手段９により常時ヘッド部３の前壁４の背面の打ち出し部１１に供給されるように構成されている。ヘッド部３の内側下部にはアンビル１０が形成されている。収容部８内の先端のステープルａの中央部はアンビル１０上に載置されるようになっている。
【００１７】
操作レバー２は回動軸１６を中心に往復回動可能に取り付けられ、その前端部２ａは往動時に上記ドライバプレート６の上端屈曲部６ｂに当接するように配置されている。
【００１８】
次に、上記打ち出し機構の作動態様について説明すると、ヘッド部３の先端を傷口両側の皮膚の上に押し当て、操作レバー２を引き操作して一方向に回動（往動）させると、図５に示されるように、操作レバー２の前端部２ａによりドライバプレート６は下方に押圧され、バネ７の力に抗して移動し、打ち出し部に供給されたステープルａを押圧する。このときステープルａの中央はアンビル１０に支持され、それ以上下方には移動できない。これに対し、ドライバプレート６の両側に形成された突片６ａがステープルａの両側を押圧するので、図６（ａ）（ｂ）（ｃ）に示されるように、ステープルａの両脚部ａ１だけが押し下げられ、アンビル１０の両端を中心にステープルの両脚部ａ１は互いに近づくように曲がっていく。その後、操作レバー２を移動端まで移動させた後、操作レバー２に対する力を解除して後退させ、ステープルａをドライバプレート６とアンビル１０から解放すれば、ステープルはヘッド部３の前壁４に形成された排出口１２から排出され、1個所の傷口の縫合は終了する。同じ操作を繰り返すことにより傷口全体の縫合が完成する。
【００１９】
ところで、ステープラ本体１は不透明の合成樹脂製で、図１〜図５に示されるように、このステープラ本体１の前部は両側部１３ｂと中央突条１３ａの３つに分岐されて上記ヘッド部３を覆っている。中央突条１３ａは断面が山形の突条状に形成され、先端が尖り、上下に続く稜線１５が明瞭に形成されている。稜線１５は前壁４の中心に沿って形成されている。そして、上記中央突条１３ａはヘッド部３のステープル打ち出し部１１の中央上部に対応するように配置された位置合せ用センターマークを構成している。
【００２０】
なお、ステープラ本体１の前面両側部１３ｂは、図２、図３に示されるように、ステープルａの両脚部ａ１の上方に対応する位置に細縁部１７を形成し、両脚部ａ１の位置合せ用サイドマークを構成している。
【００２１】
また、上記ヘッド部３は透明な合成樹脂材から構成され、前壁４の外部から内部のステープルａやドライバプレート６が透視できるようになっている。
【００２２】
上記構成のステープラを使用するときは、ヘッド部３の中央突条１３ａをセンターマークとして傷口の中心に合わせるとともに、ステープラ本体１の両側部１３ｂの細縁部１７をサイドマークとしてステープラ本体１の打ち出し部１１のどこからステープルａの脚部ａ１が出てくるかを確認する。センターマークが傷口の中心にあり、サイドマークが傷口よりも外側でかつ左右が対称となる位置で、上述のように操作レバー２を引いてステープルａを打ち出す。これにより、上述のように、ステープルａはアンビル１０の両側で曲がりながらその脚部ａ１の先端が皮膚１４内に入り込んでいくから、ステープルで傷口の両側創縁１４ａを抱き込んで寄せるようにして縫合すればよい。
【００２３】
以上のように、中央突条１３ａを傷口の中心に合わせることによってステープルａの中央部を感覚的に把握することができ、さらに補助的にその両側部の細縁部１７で脚部ａ１がどこから出るのかを確認できるので、縫合位置をほぼ正確に把握することができる。なお、中央突条１３ａは立体的に形成され、また稜線１５も明瞭に形成されているのでよく目立ち、斜めから見ても位置合せがしやすい。また、上記中央突条１３ａはステープラ本体１の上に突出しているのではなく、ステープルａの前面を案内するヘッド部３の前壁４上に突出しているので、中央突条１３ａとステープルａとは前壁４を隔てただけで近接している。したがって、ステープルの位置合せを容易かつ正確に行うことができる。
【００２４】
しかも、ヘッド部３の前壁４は透明であるから、不透明の中央突条１３ａやその両側部１３ｂと対照的で、位置合せ部がよく目立つ。
【００２５】
また、中央突条１３ａはステープラ本体１と一体に形成されるので、コストも低く抑えることができる。
【００２６】
さらに、内部のステープルａも外から透視できるので、ステープルの脚部ａ１がどこに位置しているかとともに、ステープルａが打ち出されていく状態を目視することができる。したがって、外科医師はステープルが確実に縫合できたことを確認できるので、打ち出し直後に安心感が得られ、いちいちステープラをどけて見なくてもよいので、縫合作業がスムーズに行われる。
【図面の簡単な説明】
【００２７】
【図１】本発明に係る医療用ステープラの一実施形態の斜視図である。
【図２】上記ステープラの前部の拡大正面図である。
【図３】上記前部の拡大底面図である。
【図４】上記ステープラの縦断面図である。
【図５】上記前部の拡大縦断面図である。
【図６】（ａ）（ｂ）（ｃ）はステープルの折り曲げ態様説明図である。
【符号の説明】
【００２８】
ａ  ステープル
１  ステープラ本体
２  操作レバー
３  ヘッド部
１３ａ  中央突条
【図１】
2007000462.tif 000003
【図２】
2007000462.tif 000004
【図３】
2007000462.tif 000005
【図４】
2007000462.tif 000006
【図５】
2007000462.tif 000007
【図６】
2007000462.tif 000008